(57)【要約】【課題】操作監視ステーション装置１０間でアラーム関連情報の不一致が生ずること。【解決手段】各操作監視ステーション装置１０は、アラーム情報を逐次受信するアラーム情報受信部１２１と、逐次受信されるアラーム情報ごとに、関連するアラーム関連情報の入力を受け付けるアラーム関連情報入力受付部１２２と、受け付けられた前記アラーム関連情報を記憶する管理データベース１４と、アラーム関連情報が受け付けられたことに応じ、該アラーム関連情報を、他の操作監視ステーション装置１０に対して送信するアラーム関連情報送信・確認情報受信部１６１と、他の操作監視ステーション装置１０が送信したアラーム関連情報を受信するアラーム関連情報受信・確認情報送信部１６３と、受信されたアラーム関連情報を管理データベース１４に書き込む書込部１２３と、を含む、ことを特徴とする。【選択図】図３
2008176460.tif 000002
【特許請求の範囲】
【請求項１】
互いに通信接続された複数のアラーム管理装置を含み、
前記各アラーム管理装置は、
アラーム情報を逐次受信するアラーム情報受信手段と、
前記アラーム情報受信手段により逐次受信される前記アラーム情報ごとに、関連するアラーム関連情報の入力を受け付けるアラーム関連情報入力受付手段と、
前記アラーム関連情報入力受付手段により受け付けられた前記アラーム関連情報を記憶する記憶手段と、
前記アラーム関連情報入力受付手段により前記アラーム関連情報が受け付けられたことに応じ、該アラーム関連情報を、他の前記アラーム管理装置に対して送信するアラーム関連情報送信手段と、
他の前記アラーム管理装置が送信した前記アラーム関連情報を受信するアラーム関連情報受信手段と、
前記アラーム関連情報受信手段により受信された前記アラーム関連情報を前記記憶手段に書き込む書込手段と、
を含む、
ことを特徴とするアラーム管理システム。
【請求項２】
請求項１に記載のアラーム管理システムにおいて、
前記各アラーム管理装置は、
前記アラーム関連情報受信手段により前記アラーム関連情報を受信した場合に、これらを送信した前記アラーム管理装置に対し、所定の確認情報を送信する確認情報送信手段と、
前記確認情報を受信する確認情報受信手段と、
を含み、
前記アラーム関連情報送信手段は、前記アラーム関連情報を送信した場合に、前記確認情報受信手段の受信結果に応じて、該アラーム関連情報を再送信する、
ことを特徴とするアラーム管理システム。
【請求項３】
請求項２に記載のアラーム管理システムにおいて、
前記各アラーム管理装置は、
他の前記各アラーム管理装置のうちの一部を特定するアラーム管理装置特定情報を記憶するアラーム管理装置特定情報記憶手段、
を含み、
前記アラーム関連情報送信手段は、前記アラーム管理装置特定情報記憶手段に記憶されるアラーム管理装置特定情報により特定される１又は複数の前記アラーム管理装置に対し、前記アラーム関連情報を送信し、
前記各アラーム管理装置は、
前記アラーム関連情報受信手段により前記アラーム関連情報を受信した場合に、前記アラーム管理装置特定情報記憶手段に記憶されるアラーム管理装置特定情報により特定される１又は複数の前記アラーム管理装置のうち、該アラーム関連情報を送信した前記アラーム管理装置以外の前記アラーム管理装置に対し、該アラーム関連情報を転送する転送手段、
を含む、
ことを特徴とするアラーム管理システム。
【請求項４】
請求項３に記載のアラーム管理システムにおいて、
前記各アラーム管理装置は、
他の前記各アラーム管理装置に対し、繰り返し所定の起動確認情報を送信する起動確認情報送信手段と、
前記起動確認情報を受信し、所定の応答情報を送信する起動確認情報応答手段と、
前記起動確認情報送信手段により送信した起動確認情報に対し送信される前記応答情報を受信する応答情報受信手段と、
前記応答情報受信手段により応答情報が受信された場合に、該応答情報を送信した前記アラーム管理装置が、隣接するアラーム管理装置であるか否かを判定する判定手段と、
を含み、
前記アラーム管理装置特定情報記憶手段は、前記判定手段の判定結果に応じて、他の前記各アラーム管理装置のうちの一部を特定するアラーム管理装置特定情報を記憶する、
ことを特徴とするアラーム管理システム。
【請求項５】
請求項１から４までのいずれかに記載のアラーム管理システムにおいて、
前記記憶手段は、前記アラーム情報受信手段により受信された前記アラーム情報と、該アラーム情報について前記アラーム関連情報入力受付手段により受け付けられた前記アラーム関連情報と、を対応付けて記憶し、
前記アラーム関連情報送信手段は、前記アラーム関連情報入力受付手段により前記アラーム関連情報が受け付けられたことに応じ、該アラーム関連情報を、該アラーム関連情報に関連する前記アラーム情報を特定するアラーム情報特定情報とともに他の前記アラーム管理装置に対して送信し、
前記アラーム関連情報受信手段は、他の前記アラーム管理装置が送信した前記アラーム情報特定情報及び前記アラーム関連情報を受信し、
前記書込手段は、前記アラーム関連情報受信手段により受信された前記アラーム関連情報を、該アラーム関連情報とともに受信した前記アラーム情報特定情報により特定される前記アラーム情報と対応付けて前記記憶手段に書き込む、
ことを特徴とするアラーム管理システム。
【請求項６】
互いに通信接続された複数のアラーム管理装置を用いるアラーム管理方法であって、
前記各アラーム管理装置が、アラーム情報を逐次受信するアラーム情報受信ステップと、
前記各アラーム管理装置が、前記アラーム情報受信ステップにおいて逐次受信される前記アラーム情報ごとに、関連するアラーム関連情報の入力を受け付けるアラーム関連情報入力受付ステップと、
前記各アラーム管理装置が、前記アラーム関連情報入力受付ステップにおいて前記アラーム関連情報が受け付けられたことに応じ、該アラーム関連情報を、他の前記アラーム管理装置に対して送信するアラーム関連情報送信ステップと、
前記各アラーム管理装置が、他の前記アラーム管理装置が送信した前記アラーム関連情報を受信するアラーム関連情報受信ステップと、
前記各アラーム管理装置が、前記アラーム関連情報受信ステップにおいて受信された前記アラーム関連情報を、前記アラーム関連情報入力受付ステップにおいて受け付けられた前記アラーム関連情報を記憶する記憶手段に書き込む書込ステップと、
を含むことを特徴とするアラーム管理方法。
【請求項７】
複数のコンピュータを、それぞれ互いに通信接続された複数のアラーム管理装置として機能させるためのプログラムであって、
アラーム情報を逐次受信するアラーム情報受信手段、
前記アラーム情報受信手段により逐次受信される前記アラーム情報ごとに、関連するアラーム関連情報の入力を受け付けるアラーム関連情報入力受付手段、
前記アラーム関連情報入力受付手段により前記アラーム関連情報が受け付けられたことに応じ、該アラーム関連情報を、他の前記アラーム管理装置に対して送信するアラーム関連情報送信手段、
他の前記アラーム管理装置が送信した前記アラーム関連情報を受信するアラーム関連情報受信手段、及び
前記アラーム関連情報受信手段により受信された前記アラーム関連情報を、前記アラーム関連情報入力受付手段により受け付けられた前記アラーム関連情報を記憶する記憶手段記憶手段に書き込む書込手段、
として前記各コンピュータを機能させるためのプログラム。
【発明の詳細な説明】
【技術分野】
【０００１】
本発明はアラーム管理システム、アラーム管理方法、及びプログラムに関する。
【背景技術】
【０００２】
近年、工業用プラントにおいて発生する各種のアラームを統合管理するためのアラーム管理システムが提案されている。非特許文献１に記載されているＶｎｅｔ／ＩＰ（登録商標）や、特許文献１に記載されている制御ステーション装置やアラーム管理装置は、このシステムの一部を構成するものである。以下、特許文献１に記載されている技術の概要について説明する。
【０００３】
まず、制御ステーション装置はプラント内の機器からアラーム情報を取得する機能を有する。そして、取得したアラーム情報を逐次アラーム管理装置に対して送信する。
【０００４】
アラーム管理装置はデータベースを備えており、制御ステーション装置からアラーム情報を受信すると、受信したアラーム情報をデータベースに保存する。また、受信したアラーム情報ごとに、関連する各種の情報（アラーム関連情報）の入力を受け付け、アラーム情報に対応付けてデータベースに保存する。
【０００５】
特許文献１の第００３８段落及び第００３９段落には、このアラーム関連情報の例として、メッセージの重要度、オブジェクト情報、現象、原因、対応等の支援情報、保全に関する情報、プラントの保守や運転に必要な情報、プラント内にいる保全員からアラーム管理システムのオペレータへの通報情報、などが挙げられている。
【非特許文献１】出町  公二，赤羽  国治，中島  剛，横井  豊明、「リアルタイム・プラント・ネットワーク・システムＶｎｅｔ／ＩＰ」、横河技報、２００５年、Vol.49 No.2、p.83-86
【特許文献１】特開２００６−３１８１４７号公報
【発明の開示】
【発明が解決しようとする課題】
【０００６】
しかしながら、上述のアラーム管理システムでは、一元的なアラーム管理を実現できる一方で、アラーム管理装置がダウンするとアラーム管理ができなくなってしまうという問題がある。
【０００７】
これに対して、アラーム管理装置を複数用意し、各アラーム管理装置でアラーム管理を行うようにすることが考えられる。しかし、特にアラーム関連情報については、必ずしも同じものが全てのアラーム管理装置に入力されるとは限らないため、アラーム管理装置間でアラーム関連情報の不一致が生じてしまうという問題がある。
【０００８】
従って、本発明の課題の一つは、アラーム管理装置間でアラーム関連情報の不一致が生ずることを防止できるアラーム管理システム、アラーム管理方法、及びプログラムを提供することにある。
【課題を解決するための手段】
【０００９】
上記課題を解決するための本発明にかかるアラーム管理システムは、互いに通信接続された複数のアラーム管理装置を含み、前記各アラーム管理装置は、アラーム情報を逐次受信するアラーム情報受信手段と、前記アラーム情報受信手段により逐次受信される前記アラーム情報ごとに、関連するアラーム関連情報の入力を受け付けるアラーム関連情報入力受付手段と、前記アラーム関連情報入力受付手段により受け付けられた前記アラーム関連情報を記憶する記憶手段と、前記アラーム関連情報入力受付手段により前記アラーム関連情報が受け付けられたことに応じ、該アラーム関連情報を、他の前記アラーム管理装置に対して送信するアラーム関連情報送信手段と、他の前記アラーム管理装置が送信した前記アラーム関連情報を受信するアラーム関連情報受信手段と、前記アラーム関連情報受信手段により受信された前記アラーム関連情報を前記記憶手段に書き込む書込手段と、を含む、ことを特徴とする。
【００１０】
これによれば、アラーム管理装置間でアラーム関連情報の不一致が生ずることを防止できる。
【００１１】
また、上記アラーム管理システムにおいて、前記各アラーム管理装置は、前記アラーム関連情報受信手段により前記アラーム関連情報を受信した場合に、これらを送信した前記アラーム管理装置に対し、所定の確認情報を送信する確認情報送信手段と、前記確認情報を受信する確認情報受信手段と、を含み、前記アラーム関連情報送信手段は、前記アラーム関連情報を送信した場合に、前記確認情報受信手段の受信結果に応じて、該アラーム関連情報を再送信する、こととしてもよい。
【００１２】
これによれば、より確実に、アラーム管理装置間でアラーム関連情報の不一致が生ずることを防止できる。
【００１３】
また、上記アラーム管理システムにおいて、前記各アラーム管理装置は、他の前記各アラーム管理装置のうちの一部を特定するアラーム管理装置特定情報を記憶するアラーム管理装置特定情報記憶手段、を含み、前記アラーム関連情報送信手段は、前記アラーム管理装置特定情報記憶手段に記憶されるアラーム管理装置特定情報により特定される１又は複数の前記アラーム管理装置に対し、前記アラーム関連情報を送信し、前記各アラーム管理装置は、前記アラーム関連情報受信手段により前記アラーム関連情報を受信した場合に、前記アラーム管理装置特定情報記憶手段に記憶されるアラーム管理装置特定情報により特定される１又は複数の前記アラーム管理装置のうち、該アラーム関連情報を送信した前記アラーム管理装置以外の前記アラーム管理装置に対し、該アラーム関連情報を転送する転送手段、を含む、こととしてもよい。
【００１４】
これによれば、アラーム管理装置間でアラーム関連情報を転送していくので、アラーム関連情報の入力を受け付けたアラーム管理装置の処理が軽減される。
【００１５】
また、上記アラーム管理システムにおいて、前記各アラーム管理装置は、他の前記各アラーム管理装置に対し、繰り返し所定の起動確認情報を送信する起動確認情報送信手段と、前記起動確認情報を受信し、所定の応答情報を送信する起動確認情報応答手段と、前記起動確認情報送信手段により送信した起動確認情報に対し送信される前記応答情報を受信する応答情報受信手段と、前記応答情報受信手段により応答情報が受信された場合に、該応答情報を送信した前記アラーム管理装置が、隣接するアラーム管理装置であるか否かを判定する判定手段と、を含み、前記アラーム管理装置特定情報記憶手段は、前記判定手段の判定結果に応じて、他の前記各アラーム管理装置のうちの一部を特定するアラーム管理装置特定情報を記憶する、こととしてもよい。
【００１６】
これによれば、アラーム管理装置特定情報記憶手段が、隣接するアラーム管理装置を特定するアラーム管理装置特定情報を記憶するようにすることができる。
【００１７】
また、上記アラーム管理システムにおいて、前記記憶手段は、前記アラーム情報受信手段により受信された前記アラーム情報と、該アラーム情報について前記アラーム関連情報入力受付手段により受け付けられた前記アラーム関連情報と、を対応付けて記憶し、前記アラーム関連情報送信手段は、前記アラーム関連情報入力受付手段により前記アラーム関連情報が受け付けられたことに応じ、該アラーム関連情報を、該アラーム関連情報に関連する前記アラーム情報を特定するアラーム情報特定情報とともに他の前記アラーム管理装置に対して送信し、前記アラーム関連情報受信手段は、他の前記アラーム管理装置が送信した前記アラーム情報特定情報及び前記アラーム関連情報を受信し、前記書込手段は、前記アラーム関連情報受信手段により受信された前記アラーム関連情報を、該アラーム関連情報とともに受信した前記アラーム情報特定情報により特定される前記アラーム情報と対応付けて前記記憶手段に書き込む、こととしてもよい。
【００１８】
これによれば、アラーム管理装置は、アラーム関連情報を受け付けると、該アラーム関連情報を、関連するアラーム情報を特定するアラーム情報特定情報とともに他のアラーム管理装置に送信しているので、アラーム管理装置間でアラーム関連情報の不一致が生ずることをより確実に防止できる。
【００１９】
また、本発明にかかるアラーム管理方法は、互いに通信接続された複数のアラーム管理装置を用いるアラーム管理方法であって、前記各アラーム管理装置が、アラーム情報を逐次受信するアラーム情報受信ステップと、前記各アラーム管理装置が、前記アラーム情報受信ステップにおいて逐次受信される前記アラーム情報ごとに、関連するアラーム関連情報の入力を受け付けるアラーム関連情報入力受付ステップと、前記各アラーム管理装置が、前記アラーム関連情報入力受付ステップにおいて前記アラーム関連情報が受け付けられたことに応じ、該アラーム関連情報を、他の前記アラーム管理装置に対して送信するアラーム関連情報送信ステップと、前記各アラーム管理装置が、他の前記アラーム管理装置が送信した前記アラーム関連情報を受信するアラーム関連情報受信ステップと、前記各アラーム管理装置が、前記アラーム関連情報受信ステップにおいて受信された前記アラーム関連情報を、前記アラーム関連情報入力受付ステップにおいて受け付けられた前記アラーム関連情報を記憶する記憶手段に書き込む書込ステップと、を含むことを特徴とする。
【００２０】
また、本発明にかかるプログラムは、複数のコンピュータを、それぞれ互いに通信接続された複数のアラーム管理装置として機能させるためのプログラムであって、アラーム情報を逐次受信するアラーム情報受信手段、前記アラーム情報受信手段により逐次受信される前記アラーム情報ごとに、関連するアラーム関連情報の入力を受け付けるアラーム関連情報入力受付手段、前記アラーム関連情報入力受付手段により前記アラーム関連情報が受け付けられたことに応じ、該アラーム関連情報を、他の前記アラーム管理装置に対して送信するアラーム関連情報送信手段、他の前記アラーム管理装置が送信した前記アラーム関連情報を受信するアラーム関連情報受信手段、及び前記アラーム関連情報受信手段により受信された前記アラーム関連情報を、前記アラーム関連情報入力受付手段により受け付けられた前記アラーム関連情報を記憶する記憶手段記憶手段に書き込む書込手段、として前記各コンピュータを機能させるためのプログラムである。
【発明を実施するための最良の形態】
【００２１】
本発明の実施の形態について、図面を参照しながら説明する。
【００２２】
図１は、本実施の形態にかかる統合化アラーム管理システム１のシステム構成を示す図である。同図に示すように、統合化アラーム管理システム１は、複数の操作監視ステーション装置１０（同図では、操作監視ステーション装置１０−１乃至ｎ（ｎは自然数）を示している。）と、複数の制御ステーション装置２０（同図では制御ステーション装置２０−１及び２を示している。）と、ゲートウェイ装置３０と、プラント４０と、ＬＡＮ(Local Area Network)５０と、Ｖｎｅｔ／ＩＰ６０と、を含んで構成されている。
【００２３】
プラント４０は、多数のフィールド機器（不図示）を含んで構成される工業用プラントである。各フィールド機器は、プラント４０の各部の状態を監視しており、状態に応じて必要なアラーム情報を生成する。なお、統合化アラーム管理システム１は、これらの各フィールド機器が生成したアラーム情報の統合管理を実現するシステムである。
【００２４】
Ｖｎｅｔ／ＩＰ６０は、プロセス・オートメーション用のリアルタイム・プラント・ネットワーク・システムであり、ＵＤＰ／ＩＰ上に、プロセス・オートメーションの為に最適化したトランスポートプロトコルを実装したものである。各操作監視ステーション装置１０、制御ステーション装置２０の少なくとも一部、及びゲートウェイ装置３０はＶｎｅｔ／ＩＰ６０に接続されており、Ｖｎｅｔ／ＩＰ６０によって互いに通信接続されている。なお、各装置にはＶｎｅｔ／ＩＰ６０のＩＰアドレスが予め付与されており、各装置間の通信は、このＩＰアドレスを用いて行われる。
【００２５】
各制御ステーション装置２０は、プラント４０内の上記各フィールド機器と通信接続されており、上記各フィールド機器が生成したアラーム情報を逐次収集し、Ｖｎｅｔ／ＩＰ６０に送出する。
【００２６】
ただし、フィールド機器の仕様によっては、Ｖｎｅｔ／ＩＰ６０に対応していない制御ステーション装置２０を用いる必要があり、そのような制御ステーション装置２０（図１では制御ステーション装置２０−２）は、ゲートウェイ装置３０に対してアラーム情報を出力する。ゲートウェイ装置３０は、制御ステーション装置２０から入力されたアラーム情報のフォーマットをＶｎｅｔ／ＩＰ６０において送信可能なフォーマットに変更した上で、Ｖｎｅｔ／ＩＰ６０に送出する。
【００２７】
制御ステーション装置２０又はゲートウェイ装置３０は、アラーム情報を含むパケット（以下、アラーム情報パケットという。）を生成し、該アラーム情報パケットを各操作監視ステーション装置１０に対してマルチキャスト送信することにより、アラーム情報をＶｎｅｔ／ＩＰ６０に送出する。すなわち、制御ステーション装置２０又はゲートウェイ装置３０は、各操作監視ステーション装置１０のＩＰアドレスを宛先アドレスに設定したアラーム情報パケットを、１回だけ送信する。すると、Ｖｎｅｔ／ＩＰ６０上のネットワーク機器（ルータ等。不図示。）が必要に応じてアラーム情報パケットをコピーしながら、宛先アドレスにより指定される１又は複数のＩＰアドレスそれぞれにより示される１又は複数の操作監視ステーション装置１０それぞれの属するサブネットワークまで、アラーム情報パケットを転送していく。
【００２８】
各操作監視ステーション装置１０は、Ｖｎｅｔ／ＩＰ６０経由で制御ステーション装置２０又はゲートウェイ装置３０からアラーム情報パケットを受信する。そして、受信したアラーム情報パケットに含まれるアラーム情報を管理するためのアラーム管理装置として機能する。各操作監視ステーション装置１０のハードウェアとしてはパーソナルコンピュータを用いることが好適である。
【００２９】
ＬＡＮ５０は、ＴＣＰ／ＩＰによる通信システムである。各操作監視ステーション装置１０はＬＡＮ５０に接続されており、ＬＡＮ５０によっても互いに通信接続されている。なお、各操作監視ステーション装置１０にはＬＡＮ５０のＩＰアドレスが予め付与されており、各操作監視ステーション装置１０間の通信は、このＩＰアドレスを用いて行われる。各操作監視ステーション装置１０は、ＬＡＮ５０を用いて、アラーム情報に関連するアラーム関連情報（後述）の共有を行う。
【００３０】
以下、操作監視ステーション装置１０について、詳細に説明する。図２は、操作監視ステーション装置１０のシステム構成を示す概略ブロック図である。同図に示すように、操作監視ステーション装置１０はインターフェイス部１１、制御部１２、入出力部１３、管理データベース１４、インターフェイス部１５、リング管理部１６を含んで構成される。
【００３１】
インターフェイス部１１はＶｎｅｔ／ＩＰ６０と接続しており、当該操作監視ステーション装置１０のＶｎｅｔ／ＩＰ６０におけるＩＰアドレスを記憶している。インターフェイス部１１は、接続しているＶｎｅｔ／ＩＰ６０を通過する全パケットを監視し、その宛先が記憶しているＩＰアドレス又はブロードキャストアドレスであるパケットを受信し、制御部１２に対して出力する。こうして受信されるパケットには、上記アラーム情報パケットが含まれる。
【００３２】
制御部１２は、操作監視ステーション装置１０の各部を制御する。また、インターフェイス部１１からアラーム情報パケットの入力を受け付けることによりアラーム情報を逐次受信し、該アラーム情報を管理するための処理を行う。この中には、受信したアラーム情報に関連するアラーム管理情報に関する処理も含まれる。制御部１２が行う処理の詳細については後述する。
【００３３】
入出力部１３は、キーボード、マウス、ディスプレイなどのヒューマンマシンインターフェイスや、記憶媒体との間でデータの入出力を行うための記憶媒体インターフェイスを含んで構成される。
【００３４】
制御部１２は、逐次受信するアラーム情報ごとに、入出力部１３を通じて、関連するアラーム関連情報の入力を受け付ける。このアラーム関連情報の具体的な例としては、メッセージの重要度を示す重要度情報、アラームを生成したフィールド機器を示すオブジェクト情報、現象・原因・措置内容等、統合化アラーム管理システム１のオペレータによるアラーム対処作業を支援するための支援情報、保全に関する情報、プラントの保守や運転に必要な情報、プラント内にいる保全員からオペレータへの通報情報の他、オペレータがアラームを確認するための所定操作を行ったことを示すＡＣＫ情報が挙げられる。
【００３５】
管理データベース１４は、制御部１２により受信されたアラーム情報と、該アラーム情報について制御部１２により受け付けられたアラーム関連情報と、を対応付けて記憶する。
【００３６】
インターフェイス部１５はＬＡＮ５０と接続しており、当該操作監視ステーション装置１０のＬＡＮ５０におけるＩＰアドレスを記憶している。インターフェイス部１５は、接続しているＬＡＮ５０を通過する全パケットを監視し、その宛先が記憶しているＩＰアドレス又はブロードキャストアドレスであるパケットを受信し、リング管理部１６に対して出力する。
【００３７】
リング管理部１６は、各操作監視ステーション装置１０が、ＬＡＮ５０を用いて、アラーム関連情報を共有するために必要な処理を行う。
【００３８】
以下、制御部１２及びリング管理部１６が行う処理について、操作監視ステーション装置１０の機能ブロックを示す図を参照しながら詳細に説明する。
【００３９】
図３は、操作監視ステーション装置１０の機能ブロックを示す概略ブロック図である。同図に示すように、制御部１２は機能的に、アラーム情報受信部１２１、アラーム関連情報入力受付部１２２、書込部１２３を含んで構成される。また、リング管理部１６は機能的に、アラーム関連情報送信・確認情報受信部１６１、操作監視ステーション装置特定情報記憶部１６２、アラーム関連情報受信・確認情報送信部１６３、転送部１６４、起動確認情報送信・応答情報受信部１６５、起動確認情報応答部１６６、判定部１６７を含んで構成される。
【００４０】
アラーム情報受信部１２１は、インターフェイス部１１を介し、Ｖｎｅｔ／ＩＰ６０を流れるアラーム情報パケットを逐次受信することにより、アラーム情報を逐次受信する。
【００４１】
アラーム関連情報入力受付部１２２は、入出力部１３から、アラーム情報受信部１２１により逐次受信されるアラーム情報ごとに、関連するアラーム関連情報の入力を受け付ける。また、アラーム関連情報入力受付部１２２は、受け付けたアラーム関連情報を、該アラーム関連情報に関連するアラーム情報と対応付けて、管理データベース１４に書き込む。さらに、アラーム関連情報入力受付部１２２は、アラーム関連情報を受け付けた場合に、該アラーム関連情報を受け付けたことを示す情報を、リング管理部１６に対して出力する。
【００４２】
アラーム関連情報送信・確認情報受信部１６１は、アラーム関連情報入力受付部１２２からアラーム関連情報を受け付けたことを示す上記情報の入力を受け付ける。そして、アラーム関連情報入力受付部１２２によりアラーム関連情報が受け付けられたことに応じ、該アラーム関連情報を、該アラーム関連情報に関連するアラーム情報を特定するアラーム情報特定情報とともに他の操作監視ステーション装置１０に対して送信する。
【００４３】
具体的には、操作監視ステーション装置特定情報記憶部１６２は、他の各操作監視ステーション装置１０のうちの一部を特定する操作監視ステーション装置特定情報（アラーム管理装置特定情報）を記憶している。なお、この操作監視ステーション装置特定情報は、後述する判定部１６７により取得されるものである。アラーム関連情報送信・確認情報受信部１６１は、操作監視ステーション装置特定情報記憶部１６２に記憶される操作監視ステーション装置特定情報により特定される１又は複数の操作監視ステーション装置１０に対し、アラーム情報特定情報及びアラーム関連情報を送信する。
【００４４】
より具体的には、アラーム関連情報送信・確認情報受信部１６１は、アラーム情報特定情報及びアラーム関連情報を含むパケット（以下、アラーム関連情報パケットという。）を生成し、その宛先アドレスに、操作監視ステーション装置特定情報により特定される１又は複数の操作監視ステーション装置１０のＬＡＮ５０のＩＰアドレスを設定する。そして、インターフェイス部１５を介し、ＬＡＮ５０に対して、アラーム関連情報パケットを送出する。
【００４５】
なお、アラーム情報特定情報としては、アラーム情報を特定できる情報であればどのようなものでも用いることができる。例えば、制御ステーション装置２０又はゲートウェイ装置３０は、フィールド機器の識別情報と、該識別情報ごとの通番と、をアラーム情報に付加することとしてもよい。この場合、アラーム関連情報送信・確認情報受信部１６１は、アラーム情報特定情報として該識別情報と該通番の組み合わせを用いることができる。
【００４６】
アラーム関連情報受信・確認情報送信部１６３は、インターフェイス部１５を介し、ＬＡＮ５０を流れる、他の操作監視ステーション装置１０が送信したアラーム関連情報パケット（アラーム情報特定情報及びアラーム関連情報）を逐次受信する。具体的には、ＬＡＮ５０を流れるパケット全てについてその宛先アドレスを確認し、宛先アドレスに自身のＩＰアドレスが含まれているパケットを取得する。そして、取得したパケットのうちのアラーム関連情報パケットを受信する。
【００４７】
アラーム関連情報受信・確認情報送信部１６３は、アラーム関連情報パケットを受信した場合に、該アラーム関連情報パケットを送信した操作監視ステーション装置１０に対し、所定の確認情報を送信する。具体的には、確認情報を含むパケット（以下、確認情報パケットという。）を生成し、インターフェイス部１５を介し、ＬＡＮ５０に対して送出する。
【００４８】
アラーム関連情報送信・確認情報受信部１６１は、アラーム関連情報パケット（アラーム情報特定情報及びアラーム関連情報）を送信した場合、該アラーム関連情報パケットの宛先とした操作監視ステーション装置１０が送信する上記確認情報の受信を待機する。具体的には、ＬＡＮ５０内を流れるパケットを監視し、その中に確認情報パケットが含まれている場合に、該確認情報パケットを受信する。
【００４９】
アラーム関連情報送信・確認情報受信部１６１は、確認情報の受信結果に応じて、アラーム関連情報パケット（アラーム情報特定情報及びアラーム関連情報）を再送信する。具体的には、例えばアラーム関連情報パケット送信後、所定時間内に確認情報が受信されない操作監視ステーション装置１０に対して、アラーム関連情報パケットを再送信する。
【００５０】
なお、アラーム関連情報送信・確認情報受信部１６１は、この再送信を所定回数で終了することが望ましい。すなわち、所定回数再送信してもなお確認情報が受信されない操作監視ステーション装置１０については、再送信を中止することが望ましい。
【００５１】
書込部１２３は、アラーム関連情報受信・確認情報送信部１６３が受信したアラーム関連情報パケットから、アラーム情報特定情報及びアラーム関連情報を取得する。そして、該アラーム関連情報を、該アラーム情報特定情報により特定されるアラーム情報と対応付けて、管理データベース１４に書き込む。
【００５２】
転送部１６４は、アラーム関連情報受信・確認情報送信部１６３がアラーム関連情報パケット（アラーム情報特定情報及びアラーム関連情報）を受信した場合に、操作監視ステーション装置特定情報記憶部１６２に記憶される操作監視ステーション装置特定情報により特定される１又は複数の操作監視ステーション装置１０のうち、該アラーム関連情報パケットを送信した操作監視ステーション装置１０以外の操作監視ステーション装置１０に対し、該アラーム関連情報パケットを転送する。
【００５３】
具体的には、転送部１６４は、アラーム関連情報パケットの宛先アドレスを、その宛先とする上記操作監視ステーション装置１０のＬＡＮ５０のＩＰアドレスに変更する。そして、インターフェイス部１５を介し、ＬＡＮ５０に対して、宛先アドレス変更後のアラーム関連情報パケットを送出する。
【００５４】
以下、操作監視ステーション装置特定情報記憶部１６２に記憶される操作監視ステーション装置特定情報を取得するための処理について詳細に説明する。
【００５５】
まず、起動確認情報送信・応答情報受信部１６５は、他の操作監視ステーション装置１０に対し、繰り返し所定の起動確認情報を送信する。具体的な例では、起動確認情報送信・応答情報受信部１６５は、起動直後及びその後定期的に、所定の起動確認情報を送信する。また、起動確認情報送信・応答情報受信部１６５は、後述するように、他の操作監視ステーション装置１０から応答情報を受信するが、それまで応答情報が受信されていた他の操作監視ステーション装置１０について応答情報が受信されなくなった場合にも、起動確認情報を送信することとしてもよい。
【００５６】
より具体的には、起動確認情報送信・応答情報受信部１６５は、起動確認情報を含むパケット（以下、Keep Alive通信パケットという。）を生成し、その宛先アドレスに、ＬＡＮ５０のブロードキャストアドレスを設定する。そして、インターフェイス部１５を介し、ＬＡＮ５０に対して、Keep Alive通信パケットを送出する。
【００５７】
起動確認情報応答部１６６は、上記起動確認情報を受信し、所定の応答情報を送信する。具体的には、インターフェイス部１５を介し、ＬＡＮ５０を流れる、他の操作監視ステーション装置１０が送信したKeep Alive通信パケットを逐次受信する。具体的には、ＬＡＮ５０を流れるKeep Alive通信パケットを全て受信する。
【００５８】
起動確認情報応答部１６６は、Keep Alive通信パケットを受信した場合に、該Keep Alive通信パケットを送信した操作監視ステーション装置１０に対し、所定の応答情報を送信する。具体的には、応答情報を含むパケット（以下、応答情報パケットという。）を生成し、インターフェイス部１５を介し、ＬＡＮ５０に対して送出する。
【００５９】
起動確認情報送信・応答情報受信部１６５は、送信した起動確認情報に対し、他の操作監視ステーション装置１０により送信される上記応答情報を受信する。
【００６０】
判定部１６７は、起動確認情報送信・応答情報受信部１６５により応答情報が受信された場合に、該応答情報を送信した操作監視ステーション装置１０が、隣接する操作監視ステーション装置１０であるか否かを判定する。そして、その判定結果に応じて、操作監視ステーション装置特定情報記憶部１６２が記憶するアラーム管理装置特定情報により特定される１又は複数の操作監視ステーション装置１０を決定する。判定部１６７はさらに、決定した１又は複数の操作監視ステーション装置１０を特定するアラーム管理装置特定情報を取得し、取得したアラーム管理装置特定情報により、操作監視ステーション装置特定情報記憶部１６２に記憶されるアラーム管理装置特定情報を更新する。
【００６１】
なお、判定部１６７は、起動確認情報応答部１６６によりKeep Alive通信パケットが受信された場合にも、応答情報を受信した場合と同様に、Keep Alive通信パケットを送信した操作監視ステーション装置１０が、隣接する操作監視ステーション装置１０であるか否かを判定することとしてもよい。そして、その判定結果に応じて、上記同様、操作監視ステーション装置特定情報記憶部１６２に記憶されるアラーム管理装置特定情報を更新することとしてもよい。
【００６２】
操作監視ステーション装置特定情報を取得するための処理について、具体的な例を挙げつつ、より詳細に説明する。
【００６３】
図４は、操作監視ステーション装置特定情報を取得するための処理を説明するための説明図である。同図は、６台の操作監視ステーション装置１０（操作監視ステーション装置１０−１乃至６とする。）がある場合を示しており、同図中、各操作監視ステーション装置１０は丸印で示されている。丸印内部の網掛けは操作監視ステーション装置１０が動作中であることを示し、丸印内部の白抜きは操作監視ステーション装置１０が動作していないことを示している。
【００６４】
図４（ａ）は、６台の操作監視ステーション装置１０が全て正常に動作している状態を示している。各操作監視ステーション装置１０は、上述のようにＬＡＮ５０により通信接続されている。ＬＡＮ５０は、物理的にはバストポロジーにより構成されているが、各操作監視ステーション装置１０は、論理的に、図４（ａ）に示すようなリングトポロジーにより相互の通信を行う（こうして形成されるリングを「冗長化リング」と称する。）。すなわち、各操作監視ステーション装置１０はそれぞれ、隣接する２台の操作監視ステーション装置１０を取得している。そして、この隣接する２台の操作監視ステーション装置１０との間で、相互の通信を行う。
【００６５】
図４（ｂ）は、操作監視ステーション装置１０−１のみが起動している状態を示している。この場合、操作監視ステーション装置１０−１は、繰り返しKeep Alive通信パケットを送信するが、他のどの操作監視ステーション装置１０からも応答情報パケットが受信されない。
【００６６】
操作監視ステーション装置１０−１の判定部１６７は、起動確認情報送信・応答情報受信部１６５がKeep Alive通信パケットを送信した後所定時間内に応答情報パケットが受信されないことにより、通信可能な操作監視ステーション装置１０−１がいないと判定し、いずれの操作監視ステーション装置１０−１も特定しないアラーム管理装置特定情報を取得し、操作監視ステーション装置特定情報記憶部１６２に記憶させる。その結果、アラーム関連情報送信・確認情報受信部１６１は、アラーム関連情報入力受付部１２２によりアラーム関連情報が受け付けられたとしても、アラーム関連情報の他の操作監視ステーション装置１０に対する送信を行わない。
【００６７】
図４（ｃ）は、操作監視ステーション装置１０−１に加え、操作監視ステーション装置１０−４が起動した状態を示している。この場合、操作監視ステーション装置１０−１が送信しているKeep Alive通信パケットに対し、操作監視ステーション装置１０−４が応答情報パケットを返送するようになる。なお、操作監視ステーション装置１０−４もKeep Alive通信パケットの送信を開始し、操作監視ステーション装置１０−１はKeep Alive通信パケットに対して応答情報パケットを返送する。
【００６８】
操作監視ステーション装置１０−１の判定部１６７は、起動確認情報送信・応答情報受信部１６５がKeep Alive通信パケットを送信した後所定時間内に受信される応答情報パケットが操作監視ステーション装置１０−４からのものだけであることにより、操作監視ステーション装置１０−４を隣接する操作監視ステーション装置１０であると判定する。そして、操作監視ステーション装置１０−４を特定するアラーム管理装置特定情報を取得し、操作監視ステーション装置特定情報記憶部１６２に記憶させる。その結果、アラーム関連情報送信・確認情報受信部１６１は、アラーム関連情報入力受付部１２２によりアラーム関連情報が受け付けられたことに応じ、該アラーム関連情報を、該アラーム関連情報に関連するアラーム情報を特定するアラーム情報特定情報とともに操作監視ステーション装置１０−４に対して送信する。なお、操作監視ステーション装置１０−４も同様の処理を行う。
【００６９】
図４（ｄ）は、操作監視ステーション装置１０−１及び操作監視ステーション装置１０−４に加え、操作監視ステーション装置１０−３が起動した状態を示している。この場合、操作監視ステーション装置１０−１が送信しているKeep Alive通信パケットに対し、操作監視ステーション装置１０−４だけでなく操作監視ステーション装置１０−３が応答情報パケットを返送するようになる。
【００７０】
操作監視ステーション装置１０−１の判定部１６７は、起動確認情報送信・応答情報受信部１６５がKeep Alive通信パケットを送信した後所定時間内に受信される応答情報パケットが操作監視ステーション装置１０−３及び操作監視ステーション装置１０−４の２台からのものだけであることにより、操作監視ステーション装置１０−３及び操作監視ステーション装置１０−４を隣接する操作監視ステーション装置１０であると判定する。そして、操作監視ステーション装置１０−３及び操作監視ステーション装置１０−４を特定するアラーム管理装置特定情報を取得し、操作監視ステーション装置特定情報記憶部１６２に記憶させる。その結果、アラーム関連情報送信・確認情報受信部１６１は、アラーム関連情報入力受付部１２２によりアラーム関連情報が受け付けられたことに応じ、該アラーム関連情報を、該アラーム関連情報に関連するアラーム情報を特定するアラーム情報特定情報とともに操作監視ステーション装置１０−３及び操作監視ステーション装置１０−４に対して送信する。なお、操作監視ステーション装置１０−３及び操作監視ステーション装置１０−４も同様の処理を行う。
【００７１】
図４（ｅ）は、操作監視ステーション装置１０−１、操作監視ステーション装置１０−３、及び操作監視ステーション装置１０−４に加え、操作監視ステーション装置１０−５が起動した状態を示している。この場合、操作監視ステーション装置１０−１が送信しているKeep Alive通信パケットに対し、操作監視ステーション装置１０−３及び操作監視ステーション装置１０−４だけでなく操作監視ステーション装置１０−５が応答情報パケットを返送するようになる。
【００７２】
操作監視ステーション装置１０−１の判定部１６７は、起動確認情報送信・応答情報受信部１６５がKeep Alive通信パケットを送信した後所定時間内に、操作監視ステーション装置１０−３、操作監視ステーション装置１０−４、及び操作監視ステーション装置１０−４と２台以上の操作監視ステーション装置１０から応答情報パケットが受信されていることにより、そのうちの２台を隣接する操作監視ステーション装置１０として選択するための処理を行う。
【００７３】
具体的な例では、判定部１６７は、予め各操作監視ステーション装置１０のアドレスを示すアドレス情報を記憶しておく。このアドレス情報は、地理的な位置を示す情報であってもよいし、各操作監視ステーション装置１０の属するサブネットワークを示す情報であってもよい。また、各操作監視ステーション装置１０のＩＰアドレスを示す情報であってもよい。判定部１６７は、このアドレス情報を用いて、他の各操作監視ステーション装置１０との間の距離（地理的な距離、経由サブネットワーク数など。）を算出し、算出した距離により、最も近いことが示される操作監視ステーション装置１０から順に２台まで操作監視ステーション装置１０を選択する。
【００７４】
また、別の例では、判定部１６７は、予め隣接度合の優先順位を記憶しておく。判定部１６７は、優先順位の高いものから順に２台まで操作監視ステーション装置１０を選択する。例えば、操作監視ステーション装置１０−２及び操作監視ステーション装置１０−６を第１優先順位、操作監視ステーション装置１０−３及び操作監視ステーション装置１０−５を第２優先順位、操作監視ステーション装置１０−４を第３優先順位として記憶しているとすると、判定部１６７は、優先順位の高いものから順に２台まで操作監視ステーション装置１０を選択する結果、操作監視ステーション装置１０−３及び操作監視ステーション装置１０−５を選択する。
【００７５】
判定部１６７は、選択した操作監視ステーション装置１０である操作監視ステーション装置１０−３及び操作監視ステーション装置１０−５を隣接する操作監視ステーション装置１０であると判定する。そして、操作監視ステーション装置１０−３及び操作監視ステーション装置１０−５を特定するアラーム管理装置特定情報を取得し、操作監視ステーション装置特定情報記憶部１６２に記憶させる。その結果、アラーム関連情報送信・確認情報受信部１６１は、アラーム関連情報入力受付部１２２によりアラーム関連情報が受け付けられたことに応じ、該アラーム関連情報を、該アラーム関連情報に関連するアラーム情報を特定するアラーム情報特定情報とともに操作監視ステーション装置１０−３及び操作監視ステーション装置１０−５に対して送信する。なお、操作監視ステーション装置１０−３、操作監視ステーション装置１０−４、及び操作監視ステーション装置１０−５も同様の処理を行う。
【００７６】
図４（ｆ）は、操作監視ステーション装置１０−１乃至６の全てが動作していた状態において、操作監視ステーション装置１０−６が故障等によりダウンした場合を示している。この場合、操作監視ステーション装置１０−１のアラーム関連情報送信・確認情報受信部１６１は、操作監視ステーション装置１０−２及び操作監視ステーション装置１０−６にら対してアラーム関連情報を送信しているところ、操作監視ステーション装置１０−６はこれを受信できなくなる。この場合、操作監視ステーション装置１０−５に対しては、アラーム関連情報は、操作監視ステーション装置１０−２、操作監視ステーション装置１０−３、操作監視ステーション装置１０−４の順で転送されて到達する。
【００７７】
一方、操作監視ステーション装置１０−６は、操作監視ステーション装置１０−１及び操作監視ステーション装置１０−５が繰り返し送信するKeep Alive通信パケットに対して、応答情報パケットを返送しなくなる。操作監視ステーション装置１０−１及び操作監視ステーション装置１０−５の判定部１６７は、それまで隣接する操作監視ステーション装置１０としていた操作監視ステーション装置１０−６から応答情報パケットが受信されなくなったことを検出し、隣接する操作監視ステーション装置１０の判定をやり直す。その結果、操作監視ステーション装置１０−１の判定部１６７は、操作監視ステーション装置１０−５を新たに隣接する操作監視ステーション装置１０であると判定し、操作監視ステーション装置１０−５を特定するアラーム管理装置特定情報を取得し、操作監視ステーション装置特定情報記憶部１６２に記憶させる。図４（ｇ）は、こうして操作監視ステーション装置１０−５が、新たに操作監視ステーション装置１０−１の隣接操作監視ステーション装置１０となった状態を示している。
【００７８】
なお、上述した、判定部１６７が予め隣接度合の優先順位を記憶しておく例によれば、操作監視ステーション装置１０−３と操作監視ステーション装置１０−５の優先順位は同一である。この場合においても、判定部１６７は、操作監視ステーション装置１０−５を新たに隣接する操作監視ステーション装置１０であると判定する。このために、判定部１６７は優先順位系統を設け、該系統ごとに、優先順位を記憶することとするのが望ましい。すなわち、操作監視ステーション装置１０−２を第１系統の第１優先順位、操作監視ステーション装置１０−３を第１系統の第２優先順位、操作監視ステーション装置１０−４を第１系統の第３優先順位として記憶する。また、操作監視ステーション装置１０−６を第２系統の第１優先順位、操作監視ステーション装置１０−５を第２系統の第２優先順位、操作監視ステーション装置１０−４を第２系統の第３優先順位として記憶する。そして、判定部１６７は、ある系統に属する隣接操作監視ステーション装置１０がダウンした場合において、同一の優先順位に属する操作監視ステーション装置１０が複数ある場合、ダウンした操作監視ステーション装置１０の属する系統における次の優先順位に該当する操作監視ステーション装置１０を、新たに隣接する操作監視ステーション装置１０であると判定することが望ましい。
【００７９】
以上説明したように、統合化アラーム管理システム１によれば、操作監視ステーション装置１０は、アラーム関連情報を受け付けると、該アラーム関連情報を他の操作監視ステーション装置１０に送信しているので、操作監視ステーション装置１０間でアラーム関連情報の不一致が生ずることを防止できる。そしてさらに、操作監視ステーション装置１０は、関連するアラーム情報を特定するアラーム情報特定情報とともにアラーム関連情報を他の操作監視ステーション装置１０に送信しているので、操作監視ステーション装置１０間でアラーム関連情報の不一致が生ずることをより確実に防止できる。
【００８０】
また、操作監視ステーション装置１０間でアラーム関連情報を転送していくので、アラーム関連情報の入力を受け付けた操作監視ステーション装置１０が全ての操作監視ステーション装置１０からの確認情報を受信し、必要に応じ再送信するという処理を行う必要がなくなる。すなわち、アラーム関連情報の入力を受け付けた操作監視ステーション装置１０の処理が軽減される。
【００８１】
また、１つの操作監視ステーション装置１０が多数の操作監視ステーション装置１０にアラーム関連情報を送信する必要がなくなるため、設置する操作監視ステーション装置１０の数に、少なくともこの点からの制約がなくなる。すなわち、設置する操作監視ステーション装置１０の数の自由度が増す。
【００８２】
さらに、操作監視ステーション装置特定情報記憶部１６２は、隣接する操作監視ステーション装置１０を特定する操作監視ステーション装置特定情報を記憶するようにすることができる。これにより、適切に、操作監視ステーション装置１０間でアラーム関連情報を転送していくことができるようになる。
【００８３】
また、操作監視ステーション装置１０間でアラーム関連情報の送受信を行う際に、Ｖｎｅｔ／ＩＰ６０とは別のネットワークであるＬＡＮ５０を用いていることにより、Ｖｎｅｔ／ＩＰ６０において必要となるヘッダ情報を含まないパケットにより、アラーム関連情報パケット等を送信できるようになるので、効率的なアラーム関連情報パケット等の通信が実現されている。
【００８４】
なお、図５は、Ｖｎｅｔ／ＩＰ６０で用いられるパケットのフォーマット（同図（ａ））と、ＬＡＮ５０で用いられるパケットのフォーマット（同図（ｂ））と、を示したものである。同図に示すように、Ｖｎｅｔ／ＩＰ６０では、パケットに、そのヘッダの一部としてＶｎｅｔヘッダ及びＡＰ（アプリケーション）ヘッダを含める必要があるが、ＬＡＮ５０では、これらを含める必要がなく、その分をデータ部として用いることができる。なお、ＣＡＭＳとは、操作監視ステーション装置１０を動作させるためのアプリケーションの名称である。
【００８５】
また、Ｖｎｅｔ／ＩＰ６０では、アラーム情報の実時間性を担保するために、単位時間あたりの送信回数やデータ量が制限されるが、ＬＡＮ５０ではこのような制限をする必要がないため、この意味からも、効率的なアラーム関連情報パケット等の通信が実現される。
【００８６】
ここで、アラーム関連情報パケット等の伝送に要する時間（以下、伝送時間という。）について、ＬＡＮ５０において冗長化リングを用いて行う場合と、Ｖｎｅｔ／ＩＰ６０において行う場合と、のシミュレーションによる比較結果を示しておく。表１は、ある操作監視ステーション装置１０が４ｋＢのアラーム関連情報（例えば、アラームの対処方法を記載した資料を含む情報）を１個乃至５０個送信する場合に、他の全ての操作監視ステーション装置１０に該アラーム関連情報が行き渡るまでの伝送時間を示す表である。なお、同表では、Ｖｎｅｔ／ＩＰ６０の上記制限を２フレーム／秒とし、ＬＡＮ５０ではベストエフォートの通信が行われるものとしている。また、冗長化リングで発生する転送にかかる遅延を、操作監視ステーション装置１０の１台あたり１ｍｓｅｃ、ルータ（不図示）の１台あたり０．５ｍｓｅｃとしている。
【００８７】
【表１】
2008176460.tif 000003
【００８８】
また、表２は、ある操作監視ステーション装置１０が０．５ｋＢのアラーム関連情報（例えば、上記ＡＣＫ情報）を１個又は２０個送信する場合に、他の全ての操作監視ステーション装置１０に該アラーム関連情報が行き渡るまでの伝送時間を示す表である。
【００８９】
【表２】
2008176460.tif 000004
【００９０】
Ｖｎｅｔ／ＩＰ６０を用いる場合操作監視ステーション装置１０の数によらず伝送時間は一定であり、ＬＡＮ５０を用いる場合操作監視ステーション装置１０の数により伝送時間は変動するが、表１に示すように、アラーム関連情報が４ｋＢであるとすると、操作監視ステーション装置１０を３０１台備えた場合であっても、Ｖｎｅｔ／ＩＰ６０を用いるより最大転送速度１００ＭｂｐｓのＬＡＮ５０を用いる方が、伝送時間が短くなる。最大転送速度１０ＭｂｐｓのＬＡＮ５０を用いる場合には、送信するアラーム関連情報の数によってはＶｎｅｔ／ＩＰ６０の方が伝送時間が短くなることもあるが、多数のアラーム関連情報を送信する場合にはやはり、Ｖｎｅｔ／ＩＰ６０を用いるよりＬＡＮ５０を用いる方が、伝送時間が短くなる。
【００９１】
また、表２に示すように、アラーム関連情報が０．５ｋＢであるとすると、最大転送速度１００ＭｂｐｓのＬＡＮ５０を用いるとしても、送信するアラーム関連情報の数によってはＶｎｅｔ／ＩＰ６０の方が伝送時間が短くなることもあるが、多数のアラーム関連情報を送信する場合にはやはり、Ｖｎｅｔ／ＩＰ６０を用いるよりＬＡＮ５０を用いる方が、伝送時間が短くなる。
【００９２】
以上本発明の実施形態について説明したが、本発明はこうした実施形態に何等限定されるものではなく、本発明は、その要旨を逸脱しない範囲において、種々なる態様で実施され得ることは勿論である。
【００９３】
例えば、操作監視ステーション装置１０を初めとする統合化アラーム管理システム１の機能を実現するためのプログラムをコンピュータ読み取り可能な記録媒体に記録して、この記録媒体に記録されたプログラムをコンピュータシステムに読み込ませ、実行することにより、上記各処理を行ってもよい。
【００９４】
ここでいう「コンピュータシステム」とは、ＯＳや周辺機器等のハードウェアを含むものであってもよい。また、この「コンピュータシステム」は、ＷＷＷシステムを利用している場合であれば、ホームページ提供環境（あるいは表示環境）も含むものとする。
【００９５】
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９６】
さらに、「コンピュータ読み取り可能な記録媒体」には、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
【００９７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００９８】
さらに、上記プログラムは、上述した各機能の一部を実現するためのものであってもよい。さらに、上述した各機能をコンピュータシステムにすでに記録されているプログラムとの組み合わせで実現できるもの、いわゆる差分ファイル（差分プログラム）であってもよい。
【図面の簡単な説明】
【００９９】
【図１】本発明の実施の形態にかかる統合化アラーム管理システムのシステム構成を示す図である。
【図２】本発明の実施の形態にかかる操作監視ステーション装置のシステム構成を示す概略ブロック図である。
【図３】本発明の実施の形態にかかる操作監視ステーション装置の機能ブロックを示す概略ブロック図である。
【図４】本発明の実施の形態にかかる操作監視ステーション装置特定情報を取得するための処理を説明するための説明図である。
【図５】本発明の実施の形態にかかるＶｎｅｔ／ＩＰで用いられるパケットのフォーマットと、ＬＡＮで用いられるパケットのフォーマットと、を示したものである。
【符号の説明】
【０１００】
１  統合化アラーム管理システム、
１０  操作監視ステーション装置、
１１  インターフェイス部、
１２  制御部、
１３  入出力部、
１４  管理データベース、
１５  インターフェイス部、
１６  リング管理部、
２０  制御ステーション装置、
３０  ゲートウェイ装置、
４０  プラント、
１２１  アラーム情報受信部、
１２２  アラーム関連情報入力受付部、
１２３  書込部、
１６１  アラーム関連情報送信・確認情報受信部、
１６２  操作監視ステーション装置特定情報記憶部、
１６３  アラーム関連情報受信・確認情報送信部、
１６４  転送部、
１６５  起動確認情報送信・応答情報受信部、
１６６  起動確認情報応答部、
１６７  判定部。
【図１】
2008176460.tif 000005
【図２】
2008176460.tif 000006
【図３】
2008176460.tif 000007
【図４】
2008176460.tif 000008
【図５】
2008176460.tif 000009